(57)【要約】【課題】系列の切り替えが容易で切替え時間が短く、かつ、同系列の放送局から継続的に信号を受信することが可能な受信機を提供することを目的とする。【解決手段】ナビゲーションシステム８から送られてくる情報に基づいて地点１〜３のそれぞれの位置情報を取得し、地点１〜３をそれぞれ中心とした半径Ｌの各エリア内にそれぞれ存在する基地局の放送局とその放送局の系列とを対応付けて地点１〜３毎に地点別放送局情報テーブルを作成し、各地点別放送局情報テーブルからそれぞれ互いに同じ系列の放送局を検索し、その検索した放送局をまとめて系列毎に系列別放送局情報テーブルを作成し、デジタルテレビなどの放送信号受信時に、系列別放送局情報テーブルのリストをユーザに表示し、ユーザにリスト内の何れかの系列を選択させ、ユーザにより選択された系列における系列別放送局情報テーブルを使用して放送局を選択する。【選択図】図１
2009194525.tif 000002
【特許請求の範囲】
【請求項１】
複数の放送局の基地局の位置情報と系列とが対応付けられた放送局情報テーブルを記憶する記憶手段と、
当該受信機の移動経路における２以上の所定地点のそれぞれの位置情報を取得する位置情報取得手段と、
前記２以上の所定地点それぞれを中心とした所定半径の各エリア内にそれぞれ存在する放送局の基地局を、前記放送局情報テーブルと前記２以上の所定地点のそれぞれの位置情報とに基づいて検索し、その検索した基地局の放送局とその放送局の系列とを対応付けて前記所定地点毎に地点別放送局情報テーブルを作成する地点別放送局情報テーブル作成手段と、
前記各地点別放送局情報テーブルから系列が互いに同じ放送局を検索し、それら検索した放送局をまとめて前記系列毎に系列別放送局情報テーブルを作成する系列別放送局情報テーブル作成手段と、
前記各系列別放送局情報テーブルのうちユーザにより選択される系列における系列別放送局情報テーブルを使用して放送局を選択する選択手段と、
を備えることを特徴とする受信機。
【請求項２】
請求項１に記載の受信機であって、
前記系列別放送局情報テーブル作成手段は、前記各地点別放送局情報テーブル全てにおいて互いに同じ系列がない場合、その系列における前記系列別放送局情報テーブルを削除する
ことを特徴とする受信機。
【請求項３】
請求項１又は請求項２に記載の受信機であって、
前記選択手段は、受信信号のレベルが閾値以下になると、現在使用している前記系列別放送局情報テーブル内の各放送局のうち次の放送局を選択する
ことを特徴とする受信機。
【請求項４】
請求項１〜３の何れか１項に記載の受信機であって、
前記選択手段は、ユーザから系列の切替指示があると、その切替指示に示される系列における前記系列別放送局情報テーブル内の各放送局のうち基地局が当該受信機に最も近い放送局を選択する
ことを特徴とする受信機。
【請求項５】
請求項１〜３の何れか１項に記載の受信機であって、
前記選択手段は、ユーザから系列の切替指示があると、現在選択している放送局が示される前記地点別放送局情報テーブル内の各放送局のうち前記切替指示に示される系列に対応する放送局を選択する
ことを特徴とする受信機。
【発明の詳細な説明】
【技術分野】
【０００１】
本発明は、移動中、同系列の放送局から信号を受信する受信機に関する。
【背景技術】
【０００２】
従来の受信機では、予め全国各地の放送局を内部メモリに記憶しておき、移動中に受信エリアが変わり受信状態が悪化すると、新しい受信エリアにおいて今まで受信していた放送局の系列と同系列の放送局を内部メモリから検索し、同系列の放送局が存在した場合にその放送局から信号を受信する。
【０００３】
しかしながら、上記の受信機では、別の系列の放送局から信号を受信しようとする場合、別の系列の放送局を内部メモリから再検索する必要があり、系列をスムーズに切り替えることができず、系列局の切替えに時間が掛かるという問題がある。
【０００４】
また、上述の受信機では、新しい受信エリアに移動後、同系列の放送局が存在しない場合、同系列の放送局から信号を受信することができないという問題がある。
ところで、従来の受信機として、受信中の信号から、隣接する放送局の位置、信号受信可能範囲、及び系列情報などの隣接放送局情報を取得し、ＧＰＳから繰り返し得られた自身の位置情報に基づいて進行方向を特定し、その進行方向と隣接放送局情報とにより次の放送局を選択するものがある（例えば、特許文献１参照）。
【０００５】
また、従来の受信機として、アナログ系とデジタル系の２系統の受信系統と、ＧＰＳ受信回路とを備え、デジタル受信系統で受信し抽出したチャンネル配置情報とＧＰＳ受信回路で受信した自身の位置情報とに基づいて、次の系列を推定し、現在の系列の受信状況と、推定した次の系列の受信状況との評価結果により系列を切り替えるか否かを判断するものがある（例えば、特許文献２参照）。
【特許文献１】特開２００１−５３６３５号公報
【特許文献２】特開２００１−１６９１９５号公報
【発明の開示】
【発明が解決しようとする課題】
【０００６】
本発明は、系列の切り替えが容易で切替え時間が短く、かつ、同系列の放送局から継続的に信号を受信することが可能な受信機を提供することを目的とする。
【課題を解決するための手段】
【０００７】
上記の課題を解決するために本発明では、以下のような構成を採用した。
すなわち、本発明の受信機は、複数の放送局の基地局の位置情報と系列とが対応付けられた放送局情報テーブルを記憶する記憶手段と、当該受信機の移動経路における２以上の所定地点のそれぞれの位置情報を取得する位置情報取得手段と、前記２以上の所定地点それぞれを中心とした所定半径の各エリア内にそれぞれ存在する放送局の基地局を、前記放送局情報テーブルと前記２以上の所定地点のそれぞれの位置情報とに基づいて検索し、その検索した基地局の放送局とその放送局の系列とを対応付けて前記所定地点毎に地点別放送局情報テーブルを作成する地点別放送局情報テーブル作成手段と、前記各地点別放送局情報テーブルから系列が互いに同じ放送局を検索し、それら検索した放送局をまとめて前記系列毎に系列別放送局情報テーブルを作成する系列別放送局情報テーブル作成手段と、前記各系列別放送局情報テーブルのうちユーザにより選択される系列における系列別放送局情報テーブルを使用して放送局を選択する選択手段とを備える。
【０００８】
これにより、系列の切り替えが容易で切替え時間が短く、かつ、同系列の放送局から継続的に信号を受信することができる。
また、前記系列別放送局情報テーブル作成手段は、前記各地点別放送局情報テーブル全てにおいて互いに同じ系列がない場合、その系列における前記系列別放送局情報テーブルを削除するように構成してもよい。
【０００９】
また、前記選択手段は、受信信号のレベルが閾値以下になると、現在使用している前記系列別放送局情報テーブル内の各放送局のうち次の放送局を選択するように構成してもよい。
【００１０】
また、前記選択手段は、ユーザから系列の切替指示があると、その切替指示に示される系列における前記系列別放送局情報テーブル内の各放送局のうち基地局が当該受信機に最も近い放送局を選択するように構成してもよい。
【００１１】
また、前記選択手段は、ユーザから系列の切替指示があると、現在選択している放送局が示される前記地点別放送局情報テーブル内の各放送局のうち前記切替指示に示される系列に対応する放送局を選択するように構成してもよい。
【発明の効果】
【００１２】
本発明によれば、移動中の受信機において、系列の切り替えが容易で切替え時間が短く、かつ、同系列の放送局から継続的に信号を受信することができる。
【発明を実施するための最良の形態】
【００１３】
以下、図面を用いて本発明の実施形態を説明する。
図１は、本発明の実施形態の受信機を示す図である。
図１に示す受信機１は、例えば、デジタルテレビなどの放送信号を受信する受信機であって、アンテナ２と、チューナー３と、書換え不可能なメモリ４（記憶手段）と、書換え可能なメモリ５と、書換え可能なメモリ６と、表示部７とを備えて構成され、ナビゲーションシステム８から送られてくる情報に基づいて、地点別放送局情報テーブルや系列別放送局情報テーブルを作成する。なお、メモリ５、６は、１つのメモリで構成されてもよい。
【００１４】
図２は、地点別放送局情報テーブルや系列別放送局情報テーブルが作成される際の受信機１の動作を説明するためのフローチャートを示す図である。
まず、受信機１は、ナビゲーションシステム８から送られてくる移動経路の情報に基づいて、その移動経路上における２以上の所定地点のそれぞれの位置情報を取得する（ステップＳ１）。
【００１５】
例えば、図３に示すように、移動経路Ｒの情報がナビゲーションシステム８から受信機１へ送られる場合を考える。
図３に示す例では、受信機１は、地点１（移動開始地点）の位置情報である座標（Ｘ１、Ｙ１）、地点１から所定距離先の地点２の位置情報である座標（Ｘ２、Ｙ２）、及び地点３（移動終了地点）の位置情報である座標（Ｘ３、Ｙ３）を取得する。このように、移動経路Ｒにおいて予め設定しておいた所定距離毎に所定地点を設定してもよいし、移動経路Ｒを等分したときの各経路の端をそれぞれ所定地点に設定してもよい。
【００１６】
図２において、次に、受信機１は、ｎ＝１を設定する（ステップＳ２）。
次に、受信機１は、上記ｎが所定地点の数よりも大きいか否かを判断する（ステップＳ３）。
【００１７】
上記ｎが所定地点の数よりも大きくないと判断した場合（ステップＳ３がＮｏ）、受信機１は、ｍ＝１を設定する（ステップＳ４）。
次に、受信機１は、上記ｍが、予めメモリ４に記憶されている放送局情報テーブルの最大レコード数よりも大きいか否かを判断する（ステップＳ５）。
【００１８】
例えば、図３に示すように、放送局の基地局として、ＡＡＡ放送局の基地局、ＢＢＢ放送局の基地局、ＣＣＣ放送局の基地局、ＤＤＤ放送局の基地局、ＥＥＥ放送局の基地局、ＦＦＦ放送局の基地局、ＧＧＧ放送局の基地局が存在する場合を考える。
【００１９】
この場合、予めメモリ４に記憶されている放送局情報テーブルは、例えば、図４（ａ）に示すようなテーブルになる。すなわち、図４（ａ）に示す放送局情報テーブルは、ＡＡＡ放送局〜ＧＧＧ放送局それぞれについての情報を示すレコード４０（４０−１、４０−１、・・・、４０−７）が格納され、各レコード４０は、それぞれ、基地局の位置情報を示す座標領域４１、基地局のチャンネル情報を示すＣＨ領域４２、放送局名を示す放送局名領域４３、及び系列（ＮＨＫ（登録商標）など）を示す系列領域４４により構成されている。例えば、レコード４０−１の座標領域４１には「Ｘａ、Ｙａ」が、ＣＨ領域４２には「１３」が、放送局名領域４３には「ＡＡＡ放送局」が、系列領域４４には「α」がそれぞれ示されている。
【００２０】
図２において、上記ｍが放送局情報テーブルの最大レコード数よりも大きいと判断した場合（ステップＳ５がＹｅｓ）、受信機１は、上記ｎに１を加算し（ステップＳ６）、ステップＳ３に戻る。
【００２１】
一方、上記ｍが放送局情報テーブルの最大レコード数よりも大きくないと判断した場合（ステップＳ５がＮｏ）、受信機１は、放送局情報テーブルの上からｍ番目のレコードに示される基地局の位置情報である座標（Ｘｍ、Ｙｍ）を取得する（ステップＳ７）。
【００２２】
次に、受信機１は、地点ｎから放送局情報テーブルのｍ番目のレコードに示される放送局の基地局までの直線距離を計算する（ステップＳ８）。
例えば、ｎ＝１及びｍ＝１のとき、受信機１は、地点１の位置情報である座標（Ｘ１、Ｙ１）と、図４（ａ）に示す放送局情報テーブルの１番目のレコードであるレコード４０−１に示されるＡＡＡ放送局の基地局の位置情報である座標（Ｘａ、Ｙａ）とに基づいて、地点１からＡＡＡ放送局の基地局までの直線距離を計算する。
【００２３】
次に、受信機１は、計算した直線距離が予め設定された半径Ｌ以内であるか否かを判断する（ステップＳ９）。なお、上記半径Ｌは、ユーザにより設定される値であり、基地局から送信される信号を受信機１が受信することができるときの基地局と受信機１の間の最大距離を上限として設定される値とする。
【００２４】
計算した直線距離が半径Ｌ以内でないと判断した場合（ステップＳ９がＮｏ）、受信機１は、上記ｍに１を加算し（ステップＳ１０）、ステップＳ５に戻る。
一方、計算した直線距離が半径Ｌ以内であると判断した場合（ステップＳ９がＹｅｓ）、受信機１は、放送局情報テーブルのｍ番目のレコードを、地点ｎにおける地点別放送局情報テーブルに格納し、ステップＳ１０に進む（ステップＳ１１）。
【００２５】
図３に示す例では、地点１からＡＡＡ放送局の基地局までの直線距離は半径Ｌ以内であるため、受信機１は、図４（ａ）に示す放送局情報テーブルの１番目のレコード４０−１を、図４（ｂ）に示す地点１における地点別放送局情報テーブルに格納する。
【００２６】
上記ステップＳ４〜Ｓ１１は、ステップＳ３において上記ｎが移動経路上の所定地点の数よりも大きいと判断されるまで繰り返され、図４（ｂ）に示す地点１における地点別放送局情報テーブル、図４（ｃ）に示す地点２における地点別放送局情報テーブル、及び図４（ｄ）に示す地点３における地点別放送局情報テーブルが作成される。
【００２７】
すなわち、受信機１は、受信機１を中心とした半径Ｌのエリア内に存在する基地局の放送局とその放送局の系列とを対応付けて所定地点毎に地点別放送局情報テーブルを作成する。
【００２８】
なお、特許請求の範囲に記載される位置情報取得手段は、例えば、上記ステップＳ１に相当する。また、特許請求の範囲に記載される地点別放送局情報テーブル作成手段は、上記ステップＳ２〜Ｓ１１に相当する。
【００２９】
上記ｎが移動経路上の所定地点の数よりも大きいと判断した場合（ステップＳ３がＹｅｓ）、受信機１は、地点１における地点別放送局情報テーブルから、α系列における系列別放送局情報テーブル、β系列における系列別放送局情報テーブル、及びγ系列における系列別放送局情報テーブルを作成する（ステップＳ１２）。
【００３０】
例えば、受信機１は、図４（ｅ）に示すように、図４（ｂ）に示す地点１における地点別放送局情報テーブルのレコード４０−１が格納されたα系列における系列別放送局情報テーブルと、図４（ｆ）に示すように、図４（ｂ）に示す地点１における地点別放送局情報テーブルのレコード４０−２が格納されたβ系列における系列別放送局情報テーブルと、図４（ｇ）に示すように、図４（ｂ）に示す地点１における地点別放送局情報テーブルのレコード４０−３が格納されたγ系列における系列別放送局情報テーブルを作成する。
【００３１】
図２において、次に、受信機１は、ｎ＝２を設定する（ステップＳ１３）。
次に、受信機１は、上記ｎが移動経路上の所定地点の数よりも大きいか否かを判断する（ステップＳ１４）。
【００３２】
上記ｎが移動経路上の所定地点の数よりも大きくないと判断した場合（ステップＳ１４がＮｏ）、受信機１は、ｋ＝１を設定する（ステップＳ１５）。このｋは、系列に対応する。図３に示す例では、ｋの最大値は３であり、ｋ＝１のときｋはα系列に対応し、ｋ＝２のときｋはβ系列に対応し、ｋ＝３のときｋはγ系列に対応する。
【００３３】
次に、受信機１は、上記ｋが系列別放送局情報テーブルの最大数よりも大きいか否かを判断する（ステップＳ１６）。
上記ｋが系列別放送局情報テーブルの最大数よりも大きいと判断した場合（ステップＳ１６がＹｅｓ）、受信機１は、上記ｎに１を加算し（ステップＳ１７）、ステップＳ１４に戻る。
【００３４】
一方、上記ｋが系列別放送局情報テーブルの最大数よりも大きくないと判断した場合（ステップＳ１６がＮｏ）、受信機１は、ｊ＝１を設定し（ステップＳ１８）、上記ｋに対応する系列における系列別放送局情報テーブルのフラグを０に設定する（ステップＳ１９）。上記ｊは、地点ｎにおける地点別放送局情報テーブルのレコードに示される放送局に対応するものであって、図３に示す例では、ｎ＝２のとき、ｊの最大値は２であり、ｊ＝１はＤＤＤ放送局に、ｊ＝２はＥＥＥ放送局にそれぞれ対応する。またｎ＝３のとき、ｊの最大値は３であり、ｊ＝１はＥＥＥ放送局に、ｊ＝２はＦＦＦ放送局に、ｊ＝３はＧＧＧ放送局にそれぞれ対応する。
【００３５】
図２において、次に、受信機１は、上記ｊが地点ｎにおける地点別放送局情報テーブルの最大レコード数よりも大きいか否かを判断する（ステップＳ２０）。
上記ｊが地点ｎにおける地点別放送局情報テーブルの最大レコード数よりも大きくないと判断した場合（ステップＳ２０がＮｏ）、受信機１は、地点ｎにおける地点別放送局情報テーブルのｊ番目のレコードに示される系列が上記ｋに対応する系列であるか否かを判断する（ステップＳ２１）。
【００３６】
地点ｎにおける地点別放送局情報テーブルのｊ番目のレコードに示される系列が上記ｋに対応する系列でないと判断した場合（ステップＳ２１がＮｏ）、受信機１は、上記ｊに１を加算し（ステップＳ２２）、ステップＳ２０に戻る。
【００３７】
一方、地点ｎにおける地点別放送局情報テーブルのｊ番目のレコードに示される系列が上記ｋに対応する系列であると判断した場合（ステップＳ２１がＹｅｓ）、受信機１は、上記ｋに対応する系列における系列別放送局情報テーブルに、地点ｎにおける地点別放送局情報テーブルのｊ番目のレコードを格納し（ステップＳ２３）、フラグ＝１を設定し（ステップＳ２４）、ステップＳ２２に進む。
【００３８】
例えば、ｎ＝２、ｋ＝１、及びｊ＝１のとき、図４（ｃ）に示す地点２における地点別放送局情報テーブルのレコード４０−４に示されるＤＤＤ放送局の系列はα系列であるため、そのレコード４０−４は図４（ｅ）に示すα系列における系列別放送局情報テーブルに格納される。
【００３９】
また、ｎ＝２、ｋ＝２、及びｊ＝２のとき、図４（ｃ）に示す地点２における地点別放送局情報テーブルのレコード４０−５に示されるＥＥＥ放送局の系列はβ系列であるため、そのレコード４０−５は図４（ｆ）に示すβ系列における系列別放送局情報テーブルに格納される。
【００４０】
また、ｎ＝３、ｋ＝２、及びｊ＝１のとき、図４（ｄ）に示す地点３における地点別放送局情報テーブルのレコード４０−５に示されるＥＥＥ放送局の系列はβ系列であるため、そのレコード４０−５は図４（ｆ）に示すβ系列における系列別放送局情報テーブルに格納される。なお、レコード４０−５は、ｎ＝２、ｋ＝２、及びｊ＝２のとき、図４（ｆ）におけるβ系列における系列別放送局情報テーブルにすでに格納されているため、このレコード４０−５は上書きされるものとする。
【００４１】
また、ｎ＝３、ｋ＝１、及びｊ＝２のとき、図４（ｄ）に示す地点３における地点別放送局情報テーブルのレコード４０−６に示されるＥＥＥ放送局の系列はα系列であるため、そのレコード４０−６は図４（ｅ）に示すα系列における系列別放送局情報テーブルに格納される。
【００４２】
また、上記ｊが地点ｎにおける地点別放送局情報テーブルの最大レコード数よりも大きいと判断した場合（ステップＳ２０がＹｅｓ）、受信機１は、上記ｋに対応する系列における系列別放送局情報テーブルのフラグが０であるか否かを判断する（ステップＳ２５）。
【００４３】
フラグが０でないと判断した場合（ステップＳ２５がＮｏ）、受信機１は、上記ｋに１を加算し（ステップＳ２６）、ステップＳ１６に戻る。
一方、フラグが０であると判断した場合（ステップＳ２５がＹｅｓ）、受信機１は、上記ｋに対応する系列における系列別放送局情報テーブルを削除し（ステップＳ２７）、ステップＳ２６に進む。
【００４４】
例えば、図４（ｃ）に示す地点２における地点別放送局情報テーブルにはγ系列が示されるレコードが格納されていないため、ｎ＝２、ｋ＝３、及びｊ＝３になると、図４（ｇ）に示すγ系列における系列別放送局情報テーブルのフラグが０のままステップＳ２５に進み、γ系列における系列別放送局情報テーブルが削除される。
【００４５】
なお、ステップＳ２５、Ｓ２７を省略して上記ｋに対応する系列における系列別放送局情報テーブルを削除しないように構成してもよい。このように構成する場合、表示部７に系列別放送局情報テーブルのリスト（例えば、地点１〜３まで継続して信号を受信することが可能な系列のみを示すリスト）を表示する際、フラグが０を示す系列別放送局情報テーブルの系列は移動中に視聴できなくなる旨を表示部７に表示するようにしてもよい。
【００４６】
上記ステップＳ１５〜Ｓ２７は、ステップ１４において上記ｎが移動経路上の所定地点の数よりも大きいと判断されるまで繰り返され、図４（ｅ）に示すα系列における系列別放送局情報テーブル及び図４（ｆ）に示すβ系列における系列別放送局情報テーブルが作成される。
【００４７】
なお、特許請求の範囲に記載される系列別放送局情報テーブル作成手段は、上記ステップＳ１２〜Ｓ２７に相当する。
すなわち、本実施形態の受信機１は、まず、ナビゲーションシステム８から送られてくる移動経路Ｒの情報に基づいて地点１〜３のそれぞれの位置情報を取得し、地点１〜３をそれぞれ中心とした半径Ｌの各エリア内にそれぞれ存在する基地局の放送局とその放送局の系列とを対応付けて地点１〜３毎に地点別放送局情報テーブルを作成しメモリ５に一旦記憶する。
【００４８】
次に、受信機１は、メモリ５に記憶した各地点別放送局情報テーブルからそれぞれ互いに同じ系列の放送局を検索し、その検索した放送局をまとめて系列毎に系列別放送局情報テーブルを作成しメモリ６に記憶する。
【００４９】
そして、受信機１は、デジタルテレビなどの放送信号受信時に、系列別放送局情報テーブルのリストをユーザに表示し、ユーザにリスト内の何れかの系列を選択させ、ユーザにより選択された系列における系列別放送局情報テーブルを使用して放送局を切り替える。
【００５０】
以下、本実施形態の受信機１における放送局の切り替え動作について説明する。
まず、受信機１は、移動経路Ｒを移動している際、受信信号のレベルが閾値以下になると、ユーザにより選択された系列における系列別放送局情報テーブル内の各放送局のうち次の放送局を選択する。例えば、ユーザによりα系列が選択されているとともに、ＤＤＤ放送局を選択している場合、受信機１は、ＤＤＤ放送局の基地局からの受信信号のレベルが閾値以下になると、図４（ｅ）に示すα系列における系列別放送局情報テーブルのレコード４０−４の次のレコード４０−６に示されるＦＦＦ放送局を選択する。
【００５１】
次に、受信機１は、その選択した放送局の基地局の位置情報とナビゲーションシステム８から送られてくる受信機１の現在の位置情報とに基づいて、受信機１から次の放送局の基地局までの直線距離が半径Ｌ以内であるか否かを判断する。
【００５２】
そして、受信機１は、受信機１から次の放送局の基地局までの直線距離が半径Ｌ以内であると判断した場合、次の放送局の基地局から送信される信号を受信する。一方、受信機１から次の放送局の基地局までの直線距離が半径Ｌ以内でないと判断した場合、受信機１は、受信機１から次の放送局の基地局までの直線距離が半径Ｌ以内になるまで現在選択されている基地局から送信される信号を受信する。
【００５３】
次に、本実施形態の受信機１における系列の切り替え動作について説明する。
受信機１は、移動経路Ｒを移動している際、表示部７に表示される系列別放送局情報テーブルのリストにおいてユーザによるアップ／ダウンキー操作などにより系列の切替指示があると、その切替指示に示される系列における系列別放送局情報テーブル内の放送局のうち、基地局が現在の受信機１に最も近い放送局を選択し、その選択した放送局の基地局から送信される信号を受信する。
【００５４】
このように構成される本実施形態の受信機１によれば、移動中、系列の切り替えが容易で切替え時間が短く、かつ、同系列の放送局から継続的にデジタルテレビなどの放送信号を受信することができる。
【００５５】
なお、上記実施形態の受信機１は、ナビゲーションシステム８から送られてくる移動経路の情報に基づいて所定地点の位置情報を取得する構成であるが、電車や高速道路など移動経路が固定しているものについては、その移動経路上の主要な所定地点の位置情報を予め記憶しておくように構成してもよい。
【００５６】
図５は、電車移動時における移動経路上の主要な所定地点と位置情報とが対応付けられたデータを示す図である。
図５に示すデータは、例えば、受信機１のメモリ４に予め記憶されており、主要な所定地点（○駅や○１地点など）と位置情報（座標（Ｘ○、Ｙ○）や座標（Ｘ○１、Ｙ○１）など）とが対応付けられている。
【００５７】
まず、受信機１は、ユーザにより乗車駅と降車駅が選択されると、その選択された乗車駅と降車駅に基づいて移動経路Ｒを求め、その移動経路Ｒ上の各所定地点の位置情報を図５に示すデータから取得する。例えば、ユーザにより乗車駅として「○駅」が選択され、降車駅として「△駅」が選択されると、受信機１は、「○駅」から「△駅」までの移動経路Ｒを求め、その移動経路Ｒ上にある「○駅」、「○１地点」、「○２地点」、及び「△駅」のそれぞれの位置情報として、座標（Ｘ○、Ｙ○）、座標（Ｘ○１、Ｙ○１）、座標（Ｘ○２、Ｙ○２）、及び座標（Ｘ△、Ｙ△）を取得する。
【００５８】
次に、受信機１は、各所定地点の位置情報とメモリ４に記憶されている放送局情報テーブルとに基づいて上記所定地点毎に地点別放送局情報テーブルを作成するとともに、その作成した地点別放送局情報テーブルに基づいて系列毎に系列別放送局情報テーブルを作成する。
【００５９】
そして、受信機１は、移動経路Ｒを移動している際、受信信号のレベルが閾値以下になると、ユーザにより選択される系列における系列別放送局情報テーブルから次の放送局を選択し、その選択した放送局の基地局から送信される信号を受信する。例えば、ユーザによりα系列が選択されているとともに、ＤＤＤ放送局を選択している場合、受信機１は、ＤＤＤ放送局の基地局からの受信信号のレベルが閾値以下になると、図４（ｅ）に示すα系列における系列別放送局情報テーブルのレコード４０−４の次のレコード４０−６に示されるＦＦＦ放送局を選択し、その選択したＦＦＦ放送局の基地局から送信される信号を受信する。
【００６０】
また、受信機１は、移動経路Ｒを移動している際、表示部７に表示される系列別放送局情報テーブルのリストにおいてユーザによるアップ／ダウンキー操作などにより系列の切替指示があると、現在選択している放送局を示す地点別放送局情報テーブルをメモリ５から検索し、その検索した地点別放送局情報テーブル内の各放送局のうち切替指示に示される系列に対応する放送局を選択し、その選択した放送局の基地局から送信される信号を受信する。
【００６１】
このようにナビゲーションシステム８を使用しなくても、系列の切り替えが容易で切替え時間が短く、かつ、同系列の放送局から継続的に信号を受信することができる。
【図面の簡単な説明】
【００６２】
【図１】本発明の実施形態の受信機を示す図である。
【図２】受信機の動作を説明するためのフローチャートを示す図である。
【図３】移動経路の一例を説明するための図である。
【図４】メモリに記憶される各種テーブルを示す図である。
【図５】電車移動時における移動経路上の所定地点と位置情報とが対応付けられたデータを示す図である。
【符号の説明】
【００６３】
１  受信機
２  アンテナ
３  チューナー
４  メモリ
５  メモリ
６  メモリ
７  表示部
８  ナビゲーションシステム
【図１】
2009194525.tif 000003
【図２】
2009194525.tif 000004
【図４】
2009194525.tif 000005
【図５】
2009194525.tif 000006
【図３】
2009194525.tif 000007